(57)【要約】      （修正有）【課題】簡単な工程で蓋部を備えた小銭収納部を有する折り畳み財布を実現する。【解決手段】小銭収納部４０は、お札収納部の長手方向一端において、前記内面部２０側に袋状に形成されており、前記外面部１０には、前記折り畳み財布の長手方向の中央から短手方向に沿って第１折れ線１１が形成され、前記内面部２０には、前記折り畳み財布の長手方向の中央よりも、前記小銭収納部とは反対側に形成された第２折れ線２１と、第３折れ線２６と、第４折れ線２３とを備え、前記第３折れ線２６から前記第４折れ線２３までの長さと、前記第１折れ線から前記第２折れ線までの長さとが略同じに構成されており、折り畳みの財布の折り畳み時に、第３折れ線２６から、第４折れ線２３までの領域２４が、小銭取り出し開口を覆い蓋部として機能する。【選択図】図１
2019141203.tif 000002
【特許請求の範囲】
【請求項１】
お札を収納するお札収納部と、
小銭を収納する小銭収納部と、を備えた折り畳み財布であって、
前記お札収納部は、前記お札収納部の財布折り畳み時における外面側を形成する外面部と、内面側を形成する内面部とを備え、
前記小銭収納部は、前記お札収納部の長手方向一端において、前記内面部側に袋状に形成されており、
前記外面部には、前記折り畳み財布の長手方向の中央から短手方向に沿って第１折れ線が形成され、  
前記内面部には、前記折り畳み財布の長手方向の中央よりも、前記小銭収納部とは反対側に形成された第２折れ線と、前記折り畳み財布の長手方向の中央よりも、前記小銭収納部寄りに形成された第３折れ線と、前記小銭収納部の小銭取り出し開口付近に形成された第４折れ線とを備え、
前記第３折れ線から前記第４折れ線までの長さと、前記第１折れ線から前記第２折れ線までの長さとが略同じに構成されており、
前記折り畳みの財布の折り畳み時に、前記第３折れ線から、前記第４折れ線までの領域が、前記小銭取り出し開口を覆い蓋部として機能する
ことを特徴とする折り畳み財布。
【請求項２】
前記外面部と前記内面部とは、底部において互いに接合されているとともに、
前記第２折れ線から前記第４折れ線までの領域においては、前記底部の接合が解除されている
ことを特徴とする請求項１に記載の折り畳み財布。
【請求項３】
前記底部の前記第２折れ線から前記第４折れ線までの接合されていない領域において補強部をさらに備える
ことを特徴とする請求項２に記載の折り畳み財布。
【請求項４】
前記小銭収納部の前記小銭取り出し開口から底部までの距離が２０ｍｍ〜９０ｍｍである
ことを特徴とする請求項２又は３のいずれか一項に記載の折り畳み財布。
【請求項５】
前記内面部、または前記外面部には、前記小銭収納部とは長手方向反対側の端部に、カード収納部が形成されてなる
ことを特徴とする請求項１〜４のいずれか一項に記載の折り畳み財布。
【発明の詳細な説明】
【技術分野】
【０００１】
本発明は折り畳み財布に関する。
【背景技術】
【０００２】
財布の種類としては、ポケットに収納できるような小型財布、折りたたんで仕様でいる折り畳財布、お札を折らずに収納できる長財布などがある。このうち、折り畳み財布は、通常お札を収納するお札収納部、小銭を収納する小銭収納部、カード類を収納するカード収納部によって構成されている。こうした財布の例としては、例えば特許文献１のような財布の構造がある。
【先行技術文献】
【特許文献】
【０００３】
【特許文献１】特開２０１４−０９１０３９号公報
【発明の概要】
【発明が解決しようとする課題】
【０００４】
ここで、折り畳み財布を製造するにあたって、小銭収納部を設けるには小銭が取り出し時以外には落ちないように、蓋が必要となる。しかしながら、蓋を設けようとすると蓋のために新たにパーツを用意したり、そこを縫製したりする工数が発生したりするため、部品点数が多くなってしまっていた。
【０００５】
本発明は、上記課題に対するものであり、簡単な工程で蓋部を備えた小銭収納部を有する折り畳み財布を実現するためのものである。
【図面の簡単な説明】
【０００６】
【図１】実施形態の折り畳み財布の開放時にける斜視図である。
【図２】実施形態の折り畳み財布の図１とは上下反転した状態における斜視図である。
【図３】実施形態の折り畳み財布の展開状態の図面である。
【発明を実施するための形態】
【０００７】
本発明にかかる折り畳み財布１の実施形態について説明する。図１に示されるように、折り畳み財布１は、財布の外面側を構成する外面部１０、折り畳み時に内側に位置する内面部２０とを備えている。外面部１０と内面部２０とによってお札収納部が構成される。外面部１０と、内面部２０とは互いに略同じ大きさの矩形状をしており、底部３０でその一部が互いに接合されることでお札が収納可能な空間が形成されている。また、折り畳み財布１は、小銭収納部４０、カード収納部５０をそれぞれ備えている。小銭収納部４０は、内面部２０のお札収納側とは反対側の面に設けられており、マチ部４１が両側面に形成されている。マチ部４１によって、小銭収納部４０は、小銭を収納するための好適な空間が形成されている。小銭収納部４０は、内面部２０の長手方向における図中右側の端部に形成されている。
【０００８】
また、内面部２０の小銭収納部４０とは長手方向における反対側に、カード収納部５０が設けられている。カード収納部５０はキャッシュカードやクレジットカードを挿入して保持する。外面部１０にはその長手方向中央の位置に、お札の差し入れ方向に第１折れ線１１が形成されており、第1折れ線１１に沿って財布は折りたたまれる。内面部２０には、第２折れ線２１、第３折れ線２６、第４折れ線２３とが形成されている。第２折れ線２１、及び第４折れ線２３は、それぞれ内面部２０と外面部１０の底部３０において互いに接合されている領域のうち、互いが接合されていない領域の端にそれぞれ位置している。したがって、第2折れ線２１から第３折れ線２６との間の領域である第１領域２５、及び第３折れ線２６から第４折れ線２３との間の領域である第２領域２４は、自由に動くことが可能であり、財布の開閉動作に伴ってこの部分が変位する。そして、財布が閉じられた状態においては、第2領域２４が小銭収納部４０の小銭取り出しのための開口を覆うように変位し蓋部として機能する。なお、この内面部２０と外面部１０とが接合されないようにしてもよく、その場合底部３０は形成されない。
【０００９】
また、図２に示されるように、第２折れ線２１、及び第４折れ線２３の間の底部３０には、補強部３１が設けられている。補強部３１は本実施形態では幅１ｃｍほどの円環状の形状をした部材である。補強部３１は内面部２０及び外面部１０の底部３０において、互いに対向する領域に対して接合されている。したがって、補強部３１はお札収納部において内面部２０と外面部１０との間で延びていることとなるため、お札を収納する際には、お札が補強部３１と当たってそれ以上下にはいかないようになる。したがって、この補強部３１の大きさを調整することで、お札の保持する位置を調整することができるようになる。また、補強部は、必ずしも円環形状にする必要がなく、底部でお札を保持できる形状であればよい。例えば、内面部２０と外面部１０が底部３０で互いに接合されていない領域の端部において、第２折れ線２１と第４折れ線２３に沿って内面部２０と外面部１０とが接合していればよい。
【００１０】
図３は、折り畳み財布１の組み立て前の展開状態を示す図である。本実施形態では、折り畳み財布１は、1枚の紙や革などを折りたたむことで作成される。折りたたまれる状態の前では内面部２０と外面部１０とは1枚の矩形状をしており、その中央に底部３０となる折れ線が形成されている。なお、この1枚の素材から構成する場合は、底部３０は最初からつながっているため、接合の工程が省略される。一方で、第２折れ線２１から第４折れ線２３までの間の領域で底部３０が切断されている。
【００１１】
小銭収納部４０は、マチ部４１、基底部４３とを備えている。内面部２０と外面部１０側に対して折りたたんだあとに、基底部４３に対して、折れ線４４で折った小銭収納部４０のマチ部４１を接合することで小銭収納部４０が形成される。また、小銭収納部４０の小銭取り出し開口から底部までの距離が２０ｍｍ〜９０ｍｍ、より好ましくは２５ｍｍ〜４５ｍｍであるが、基底部４３の長さはこれよりも少し長く形成されており、したがって蓋部となる第2領域２４は小銭収納部４０の開口からは少し離間した状態となる。また、小銭収納部４０に対して留め具を設けるようにしてもよい。この場合、第2領域２４と小銭収納部４０とに対となる留め具、例えばボタンをつけるようにしてもよい。また、ファスナー式のように財布の周辺部に設けてファスナーによって開閉ができるようにしてもよい。さらには、財布の外面側にそれぞれフックやバンドルの一対を設けてそれぞれを係止して財布を閉じた状態で固定する機構を設けるようにしてもよい。
【００１２】
以上に示したように、本実施形態では小銭収納部４０の蓋部のために新たな部材を設けることなく、内面部２０の一部の領域を折り畳み時に蓋部として機能するようにしたため、簡単な構成で折り畳み式の財布を実現することができるようになる。
【符号の説明】
【００１３】
１…折り畳み財布
１０ …外面部
２０…内面部
４０…小銭収納部
【図１】
2019141203.tif 000003
【図２】
2019141203.tif 000004
【図３】
2019141203.tif 000005
【手続補正書】
【提出日】平成30年2月22日(2018.2.22)
【手続補正１】
【補正対象書類名】図面
【補正対象項目名】図３
【補正方法】変更
【補正の内容】
【図３】
2019141203.tif 000006